Podtech/llm-jp-corpus-v4-ja_patent huggingface dataset:
(57)【要約】　　　（修正有）【課題】下肢脚間に挟みその浮力を利用して、腰及び下肢の位置を水面に近く高い位置に確保した状態で上腕部や腕全体の筋力強化やフォームの矯正を図る従来の練習具は、形状が一定のため使用時に違和感があるものや、二体の発泡体の間隔を調整しなければならないもの、満足するフィット感を得られない上に浮力の異なる数種類のものを用意して置かなければならないなどの欠点があった。そこで膝下、膝上いずれの使用でも違和感無く、発泡体の間隔が調整不要で且つフィット感が得られ体格や泳力が違う人でも同一品を使用できるものを提供する。【解決手段】発泡体二体１、２を並列にして形成される水泳練習具において、適宜な長さを有する発泡体二体は浮力の異なるものとし、該発泡体二体の両端寄りにそれぞれ孔３、４、５、６を貫設するとともに、この孔に弾性を有する紐８を挿通し、この紐の端末を結束して発泡体二体を連結一体的とし、さらに浮力の異なる前記発泡体二体はそれぞれ異なる色を呈していることを特徴とする水泳練習具。【選択図】図１
0003100321.tif 000002
【実用新案登録請求の範囲】
【請求項１】
　発泡体二体を並列にして形成される水泳練習具において、発泡体二体は適宜な長さを有する浮力の異なるものとし、該発泡体二体の両端寄りにそれぞれ孔を貫設するとともに、この孔に弾性を有する紐を挿通し、この紐の端末を結束してこの発泡体二体を連結一体的としたことを特徴とする水泳練習具。
【請求項２】
　浮力の異なる発泡体二体は、それぞれ異なる色を呈する実用新案登録請求項１記載の水泳練習具。
【考案の詳細な説明】
【考案の詳細な説明】
【産業上の利用分野】
【０００１】　この考案は水泳の練習具に係り、膝下或いは膝上の脚間に挟み、練習具の浮力を利用して腰及び下肢の位置を水面に近くて高い位置に確保し、その状態で、ストロークを腕だけで行ない、上腕部や腕全体の筋力強化とフォームの矯正を図るための通常プルブイと称されているものに関するものである。
【背景技術】
【０００２】　この種の水泳練習具として知られている従来品は、意匠登録第８００００５号や同８０８３３９号などがある。
　これらの水泳練習具は、使用状態を示す前記意匠公報の参考図に示されているように、本体中央部の凹部を脚の間に挟み使用するもので、該品は膝下で使用する時も膝上で使用する時も、凹部の形状が一定のため使用時に違和感があった。
　係る点に着想して考案されたものとしては、適宜な長さを有する棒状の発泡体（フロート）二体を並列にして形成し、この二体の発泡体を紐で連結したもの（図示省略）である。
　したがって、使用者は二つの発泡体の間隔を空けたり狭めたりと、紐で調整しなければならず、しかも満足するフィット感を得る事は困難であった。
　その上、この種の練習具は体格や泳力或いはトレーニングの目的によって浮力の違うものを使い分けることが効果を上げる上で必要とされているところから、施設や選手育成を図るところでは浮力の異なるものを数種類用意しているのが現状である。したがって使用効率も悪い結果をもたらしている。
【考案が解決しようとする課題】
【０００３】　本考案は従来品の持つ前記各問題点、即ち、膝下で使用する時も膝上で使用する時も違和感無く挟むことができるようにすること、使用者が発泡体の間隔を空けたり狭めたりと調整しないですみ、且つフィット感が得られるものであること、更には、体格や泳力の違う人でも同一品を使用できるようにして施設備品の使用効率を上げることができること。などの解決を図ろうとするものである。
【課題を解決するための手段】
【０００４】　本案に係るプルブイと称される水泳練習具は、適宜な長さを有する発泡体二体を並列にして形成され、該発泡体（フロート）二体１，２は浮力の異なるものとし、該二体の両端寄りにそれぞれ孔３，４，５，６を貫設するとともに、この各孔に弾力性を有する紐８を挿通し、その端末を結束して前記二体を連結一体的とし、更にはこの異なる浮力の発泡体（フロート）二体を異なる色を呈するものとして課題を解決するための手段とした。
【考案を実施するための最良の形態】
【０００５】　本考案の実施の形態について図面を参照して詳細に説明する。
本考案の構成は図１及び図２に示した主要な３つの部材から形成されており、それは、適宜な長さの発泡体（フロート）１と、この発泡体１と同じ長さの発泡体２、そしてこれら二体の発泡体を連結一体的にする弾性のある紐８である。【０００６】　図１は図２の部材を要素３の弾性のある紐８で連結した本考案の水泳練習具（プルブイ）を示したものである。図中符号７で示した部材は前記紐を挿通する時に各発泡体に当てられる当板である。【０００７】　図１及び図２において符号１と符号２で示された発泡体（フロート）は、適宜長で同一の長さで形成されているが、その太さが異なっている。つまり発泡体１と発泡体２とは浮力に違いがある。【０００８】　前記発泡体１の両端部寄りには孔３，４が、発泡体２の両端部寄りには孔５，６がそれぞれ貫設されている。【０００９】　前記発泡体１及び２の両端部寄りに貫設されたそれぞれの孔３，４，５，６に合致する孔が設けられた当板７は、発泡体全長の少なくても二分の１以上の長さを有しており発泡体面の長手方向に取り付けられる。
このように形成された発泡体１は，前記説明の孔３，４，から弾性のある紐８が挿通され、この紐８は発泡体１を通り、更に発泡体２の孔５，６にも挿通され該孔から突出する。この紐８の端末は結束され発泡体１と２は連結一体的をなす。【００１０】　図３は本考案の水泳練習具を径の太い浮力の大きい発泡体１を下方に位置し、径の細い浮力の小さい発泡体２の方を上方にして使用している図である。
このように浮力の異なる発泡体を各自の体力や泳力或いはトレーニングの目的に合わせ選択使用すれば、より大きな効果を得ることが出来る。
【効果】
【００１１】　本考案の水泳練習具（プルブイ）は、以上説明のような構成を有するものであるから以下記載の効果を奏するものである。
　請求項１の水泳練習具は、浮力が異なる二体の発泡体を組み合わせているので、発泡体１と２の上下位置を変えて使用すれば、泳力の違いやトレーニング
　目的によって、従来別々のサイズ（浮力の違い）の水泳練習具（プルブイ）を使用していたがその必要は完全に消滅した。
また、発泡体１と２を単なる紐でなく弾性のある紐で連結しているので、練習具は脚間に密着フィットし、挟み込む下肢に力を入れる意識を必要としない。
　したがって、余分な力が入ってフォームが崩れたりしなくなり、トレーニング効果は一段と向上する。
　その上、発泡体１と２との色を変えることで浮力の違いが分かり易くなり泳力や体力に合わせたトレーニングに使用するとき誤使用を防止でき、使い勝手が良い等の効果を得ることができる。
【図面の簡単な説明】
【図１】本考案の水泳練習具を示す図である。
【図２】本考案を構成する部材の説明図である。
【図３】本考案の水泳練習具の使用例を示す図である。
【符号の説明】
１発泡体（フロート）　　　２発泡体（フロート）　　３，４，５，６孔
７当板　　　８弾性紐
【図１】
0003100321.tif 000003
【図２】
0003100321.tif 000004
【図３】
0003100321.tif 000005
(57)【要約】
【課題】　種類の違う記憶メディアを１枚のダンボール紙で梱包できるようにする。
【解決手段】　ダンボール紙に種類の違う記憶メディアを埋め込むための切り込みを設け、ダンボール紙を３つに折り畳んで、紙接着テープで封をすれば梱包できるようにした。
【選択図】　図１
0003100325.tif 000002
【実用新案登録請求の範囲】
【請求項１】
　ダンボール紙１のＡ面に、ＣＤケースとＤＶＤケースを埋め込むための切り込み２と、ＭＤディスクを埋め込むための切り込み３、およびＭＯディスクを埋め込むための切り込み４を設け、ダンボール紙１を３つに折り畳むことでダンボール紙１のＢ面とダンボール紙１のＣ面でダンボール紙１のＡ面をはさみ、紙接着テープ５で封じて使用する梱包材。
【考案の詳細な説明】
【考案の詳細な説明】
【考案が解決しようとする課題】
【０００１】　従来、パソコン等によるデータを梱包する場合、種類の違う記憶メディアそれぞれに合わせて保護するための緩衝材を用意して巻き、さらに封筒等に入れて送付する方法が一般的で、梱包には材料と時間がかかり、使用後も封筒の紙と緩衝材の合成素材等ゴミとなる量が多く、省資源的でないという問題点を有していた。
【課題を解決するための手段】
【０００２】　上記課題を解決するために、ダンボール紙に種類の違う記憶メディアを埋め込むための切り込みを設け、ダンボール紙を３つに折り畳んで、紙接着テープで封をすれば梱包できるようにした。
【考案の効果】
【０００３】　１枚のダンボール紙と１片の紙接着テープで種類の違う記憶メディアを梱包できるようになり、梱包のための材料と時間を少なくすることができる。
【図面の簡単な説明】
【図１】　梱包材の斜視図である。
【図２】　梱包材の梱包完成状態の斜視図である。
【符号の説明】
　１　ダンボール紙
　２　ＣＤケースとＤＶＤケースを埋め込むための切り込み
　３　ＭＤディスクを埋め込むための切り込み
　４　ＭＯディスクを埋め込むための切り込み
　５　紙接着テープ
　Ａ　ダンボール紙１を３分割した１つの面
　Ｂ　ダンボール紙１を３分割した１つの面
　Ｃ　ダンボール紙１を３分割した１つの面
【図１】
0003100325.tif 000003
【図２】
0003100325.tif 000004
(57)【要約】
【課題】本考案はパンティストッキングをヒップハングにすることによって、ヒップハングボトムからストッキングのウエストゴム部分が見えることを防ぐ。
【解決手段】本考案は従来のパンティストッキングの股上を浅くし、ウエストゴム部分にデザインを加えることでヒップハングボトムスを着用したときにストッキングのウエストゴム部分が大量に見えるのを防ぎ、見えても少ない分量でデザイン性が高いのでファッション性を損なわない。
【選択図】図２
0003100320.tif 000002
【実用新案登録請求の範囲】
【請求項１】
　従来のパンティストッキングの股上を浅くすることにより、ヒップハングボトムを着用してもウエストラインよりストッキングだけが見えてしまうことがないことを特徴とするパンティストッキング
【考案の詳細な説明】
【技術分野】
【０００１】　本考案は、股上の浅いパンティストッキングに関するものである。
【背景技術】
【０００２】　ヒップハングボトムの下に従来のパンティストッキングを履くとウエスト部分からウエストゴム部分及びその下が見えてしまうため、トップスをボト厶の中に入れるか外見上美しくないのを承知の上着用するしかなかった。
【考案の開示】
【考案が解決しようとする課題】
【０００３】　特に夏場の暑い日にも、トップスをボトムに入れることなく、しゃがんだ時などでも見えることがないようにパンティストッキングの股上をヒップハングショーツと同じように浅くすることで欠点を解決しようとしているものである。
【課題を解決するための手段】
【０００４】　本考案は、従来のパンティストッキングの股上を浅くし、ウエストゴムの部分を見えてもいいデザインにすることで問題点を解決している。
【考案の効果】
【０００５】　上述のようにボト厶のウエスト部分よりパンティストッキングのゴムが見えず、例え見えたとしてもその分量が少なくデザインが美しいため、ファッション性が高まる。またこれはタイツなどにも応用可能である。
【考案を実施するための最良の形態】
【０００６】　パンティストッキングの股上を浅くし、ウエストゴム部分にレースなどのデザインを加える。
【図面の簡単な説明】
【０００７】
【図１】本考案のヒップハング　パンティストッキングの正面図
【図２】本ストッキングのヒップ部分の拡大図
【符号の説明】
【０００８】１　ウエストゴム部分（デザインを加える）
２　パンティ部分の股上（１５ｃｍ〜１８ｃｍ）
３　ストッキング部分
【図１】
0003100320.tif 000003
【図２】
0003100320.tif 000004
(57)【要約】
【課題】携行するに軽くて体重を支えるに十分な強度を持ちながら、体の重心を移動する歩行に於いて、体重を足と一部ステッキで支えて歩く際に、グリップを手で強く握り締める手と足の両方の力を協調して無意識のうちに健康につなげる歩行補助が課題である。
【解決手段】足にかかる体重を、手に持つステッキで支える際には、意識的にも無意識的にも、手には強く握り締める力が働くが、その手には、マッサージで言うツボがあることから、このツボを歩行ごとにかかる力で掌をマッサージするために、球形とベローズを組み合わせたグリップとそのグリップに収納したマグネットを解決する手段とする
【選択図】図１
0003100319.tif 000002
【実用新案登録請求の範囲】
【請求項１】
足にかかる体重を、手に持つステッキで支える際には、意識的にも無意識的にも、手には強く握り締める力が働く、その掌には、マッサージで言うツボがあることから、このツボを歩行ごとに手をマッサージするに都合がよい様に、やや軟質の球面とベローズを組み合わせたグリップを有するつぼ押しステッキ。
【請求項２】
足にかかる体重を、手に持つステッキで支える際には、手には強く握り締める力が働く、その掌のマッサージで言うツボを歩行ごとに、手をマッサージするに効果が上がる様に、内蔵した磁石と軟質の球面とベローズを組み合わせたグリップを有する健康を増進する　つぼ押しステッキ。
【考案の詳細な説明】
【技術分野】
【０００１】　本考案は、歩行の補助のステッキに関するものである。
【背景技術】
【０００２】　歩行の補助具としてのステッキは、松葉杖の様な歩行補助具から、視覚障害者用の歩行補助具、登山などのスポーツ用の歩行補助具は多岐にわたっている。　本考案は、健常者であった者の歩行が容易でなくなり、歩行を忌避して歩く事が少なくなる事態をなくすための歩行補助具である。　歩行の停滞や手足の運動不足は、全身の体力低下につながることは常識になっている。【０００３】　本考案の歩行補助ステッキは、足にかかる体重を、手に分散すると共にその体重をステッキで支える際には、手には強く握り締める力が働くが、その手には、マッサージで言うツボがあることから、このツボを歩行ごとにかかる力でマッサージし、手足の協調を促しながら、歩行を容易にする事によって、楽しく歩く機会を増やし歩行年齢の延長を企るものである。
【特許文献１】特表２０００−５０４２５９号公報
【考案の開示】
【考案が解決しようとする課題】
【０００４】　解決しようとする課題は、携行するに軽くて体重を支えるに十分な強度を持ちながら、体の重心を移動する歩行に於いて、体重を足と一部ステッキで支えて歩く際に、グリップを手で強く握り締める手と足の両方の力を協調して無意識のうちに健康につなげる歩行補助が課題である。
【課題を解決するための手段】
【０００５】足にかかる体重を、手に持つステッキで支える際には、意識的にも無意識的にも、手には強く握り締める力が働くが、その手には、マッサージで言うツボがあることから、このツボを歩行ごとにかかる力で掌をマッサージするために、球形とベローズを組み合わせたグリップとそのグリップに収納したマグネットを解決する手段とする。
【考案の効果】
【０００６】　歩行ごと足にかかる力を手でも支え、且つ掌をマッサージしながら、歩行も容易にする事によって、苦痛なく歩く機会を増し、歩行年齢の延長を促す効果がある。
【考案を実施するための最良の形態】
【０００７】　歩行も容易にするために歩行に携行するステッキは可能な限り軽く、且つ体重を支えるに十分な強度を有し、足にかかる体重を、手に分散し、掌で強く握り締める力でツボを効果的に刺激するグリップを有するステッキとすることが最良の形態である。
【実施例１】
【０００８】　図１は、本考案の１実施例の側面説明図であって、１はシャフトで軽くて強いアルミ合金のパイプを用いている。２は球面とベローズ状の握り部分を有したグリップでシャフト１の上端を湾曲させた端部から挿入し固定したものである。　３は石突でシャフト１の下端に固定したもので、裏のパターン例は図２に示しているが、パターンの対応は自由である。
【実施例２】
【０００９】　図２は、本考案の２実施例の部分側面図と断面図であって、実施例１に加えて、磁石４をグリップの内部に装着した事を示す部分断面を入れた説明図である。１はシャフトで２は球面とベローズ状の握り部分を有したグリップである。　３は石突でシャフト１の下端に固定したもので、裏のパターン例を示している。４は強力な磁石をグリップの内部に装着した状態を示し、磁力を増強するために尚大きな空間が用意されている事を示している。【００１０】　図３は、手でステッキを持った状態で掌にある指圧に言うツボを刺激する状態を示したもので、力によるマッサージ効果は請求項１のものであり、請求項２のものは請求項１の上に磁束がツボを相乗的に刺激する状態を図示している。
【産業上の利用可能性】
【００１１】老齢化は一層進み、低成長時代に入り、低コストで丈夫で長生きが求められ、福祉産業にもコスト・パー・ハイフォーマンスが要求される。一本の杖がこの分野で少なからず貢献できると思われる。　それは杖その物ではなく、本人の健康意欲に支援をする一本の杖であるからである。
【図面の簡単な説明】
【００１２】
【図１】請求項１及び請求項２の外形の説明図である。（実施例１、実施例２）
【図２】請求項２の部分断面図を含む説明図である。（実施例２）
【図３】請求項１及び請求項２の効果の説明図である。（実施例１、実施例２）
【符号の説明】
【００１３】１　シャフト
２　グリップ
３　石突
４　マグネット
【図１】
0003100319.tif 000003
【図２】
0003100319.tif 000004
【図３】
0003100319.tif 000005
(57)【要約】
【課題】　　本考案はパンツ本体又はブリーフ本体の前面開口部に吸水性の良い布を縫い付け、放尿後局部をパンツに納める時、雫でズボンが汚れるのを防止する。
【解決手段】　　本考案はパンツ本体又はブリーフ本体１の前面開口部２右内側に吸水性の良い生地としわになりにくい生地を縫い合わせた雫とり布３を縫い付け、放尿後その雫とり布３で局部を包み込んでパンツ内へ納める為、雫によるズボンの汚れ防止に役立つ。
【選択図】　　図２
0003100318.tif 000002
【実用新案登録請求の範囲】
【請求項１】
　パンツ本体又はブリーフ本体の前面開口部、右内側に吸収性の良い生地としわになりにくい生地を縫い合わせた雫とり布を縫い付けられていることを特徴とするパンツ又はブリーフ
【考案の詳細な説明】
【技術分野】
【０００１】　本考案は、残尿の雫でズボンを汚さない様に雫とり布を縫い付けたパンツ又はブリーフに関するものである。
【背景技術】
【０００２】　放尿後、局部をパンツ又はブリーフに納める時、残尿でズボンを汚して困っている人が多くいた。
【考案の開示】
【考案が解決しようとする課題】
【０００３】　残尿でズボンを汚すと外観が醜く、当人も恥ずかしい思いをしてしまう為、その問題を解決しようとするものである。
【課題を解決するための手段】
【０００４】　上記目的を解決するためにパンツ本体又はブリーフ本体の前面開口部、右内側に吸収性の良い生地としわになりにくい生地を縫い合わせた雫とり布を縫い付けられていることを特徴とするパンツ又はブリーフを提供するものである。
【考案の効果】
【０００５】　本考案は上述の様にパンツ本体又はブリーフ本体に雫とり布を縫い付けてある為に装着の手間がなく、また洗濯の際も本体と一体なので無くならず簡単で便利である。
【考案の実施するための最良の形態】
【０００６】　本考案はズボンに残尿の雫がかからない様にパンツ本体又はブリーフ本体に吸水性の良い生地としわになりにくい生地を縫い合わせた雫とり布を縫い付け、パンツから取り出す際に局部と一緒に取り出し、放尿後雫とり布で局部を雫とり布で包み込んでパンツ内に納める。雫とり布は上部を斜めにカットし取り出し易い型にした。また使用時に他の人に目立たぬ様にパンツ本体又はブリーフ本体と同系色にした。
【実施例】
【０００７】　以下、添付図面に従って実施例を説明する。１はパンツ本体又はブリーフ本体、２はパンツ又はブリーフの前面開口部、３は肌に接する面を吸水性の良い生地と外側の面にしわになりにくい生地とでなっている雫とり布である。２開口部より取り出し易くする為に上部をカットした型にした。
【図面の簡単な説明】
【０００８】
【図１】本考案のパンツ又はブリーフの正面平面図
【図２】図１中Ａ−Ａ線断面図
【図３】図２中Ｂ−Ｂ線断面図
【符号の説明】
【０００９】　　１　パンツ本体又はブリーフ本体
　　２　開口部
　　３　雫とり布
　　４　左前部
　　５　右前部
　　６　縫い付け
【図１】
0003100318.tif 000003
【図２】
0003100318.tif 000004
【図３】
0003100318.tif 000005
(57)【要約】
【課題】　単一規格のメモリーカードしか接続できなかった問題を解決し、ｍｉｎｉＳＤカード及びＭＳ　Ｄｕｏカードを共用可能とする両用メモリーカードコネクターを提供することにある。
【解決手段】　ベース１０は、内部にはＭＳ　Ｄｕｏカード２０のぐらつき防止溝及び位置決め欠き穴に対応してぐらつき防止凸部１１及び位置決めストッパー１２が形成され、ＭＳ　Ｄｕｏカード２０の接続部に対応して複数の前部リードピン１３を有し、ｍｉｎｉＳＤカード３０の接続部に対応して複数の後部リードピン１４を有し、又ｍｉｎｉＳＤカード３０の挿入深さに対応してセンサーピン１５とアースピンを有し、かつ周囲には装着するための係合部が形成される。カバー４０は、ベース１０の係合部１７に対応して係合孔４１を有し、カバーの表面に制止部４２を有し、制止部４２がｍｉｎｉＳＤカード３０の位置決め欠き穴３１に対応して位置決め弧状凹部４３を形成する。
【選択図】　　図１
0003100393.tif 000002
【実用新案登録請求の範囲】
【請求項１】
　内部にはＭＳ　Ｄｕｏカードのぐらつき防止溝及び位置決め欠き穴に対応してぐらつき防止凸部及び位置決めストッパーが形成され、ＭＳ　Ｄｕｏカードの接続部に対応して複数の前部リードピンを有し、またｍｉｎｉＳＤカードの接続部に対応して複数の後部リードピンを有し、かつ周囲には装着するための係合部が形成されるベースと、
　ベースの係合部に対応して係合孔を有し、表面には制止部が形成され、制止部はｍｉｎｉＳＤカードの位置決め欠き穴に対応して位置決め弧状凹部を形成するカバーと、を備えることを特徴とする両用メモリーカードコネクター。
【請求項２】
　ベースはｍｉｎｉＳＤカードの挿入深さに対応しセンサーピンとアースピンを有することを特徴とする請求項１記載の両用メモリーカードコネクター。
【考案の詳細な説明】
【技術分野】
【０００１】
　本考案は、両用メモリーカードコネクターに関する。
【背景技術】
【０００２】
　現在、デジタル製品にはメモリーカードの使用が可能である。
　しかしながら、デジタル製品の多数はある種の規格のメモリーカードのみ使用可能である。その原因はメモリーカードコネクターにあり、単一規格のメモリーカードに対してのみ設計され、他種規格のメモリーカードを接続して使用することは可能ではない。このほか、デジタル製品の小型化が進行する中、メモリーカードのサイズもまたあわせて小型化する必要がありる。しかしながら現在すでに存在するｍｉｎｉＳＤカード及びＭＳ　Ｄｕｏカードなど小型版のメモリーカードの場合、共用できるカードコネクターの設計がない。
【考案の開示】
【考案が解決しようとする課題】
【０００３】
　したがって、本考案は、上記の問題を解決するためになされたものであり、単一規格のメモリーカードしか接続できなかった使用上の問題を解決し、かつｍｉｎｉＳＤカード及びＭＳ　Ｄｕｏカードを共用可能とすることを目的とする。
【課題を解決するための手段】
【０００４】
　上述の目的を達成するために、本考案の請求項記載の両用メモリーカードコネクターの構造は、ベースは、内部にＭＳ　Ｄｕｏカードのぐらつき防止溝及び位置決め欠き穴に対応し、ぐらつき防止凸部及び位置決めストッパーが形成され、ＭＳ　Ｄｕｏカードの接続部に対応し、複数の前部リードピンを有し、またｍｉｎｉＳＤカードの接続部に対応し、複数の後部リードピンを有し、かつ周囲に装着するための係合部が形成される。
【０００５】
　カバーは、ベースの係合部に対応し係合孔を有し、カバーの表面に制止部を有し、制止部がｍｉｎｉＳＤカードの位置決め欠き穴に対応し、位置決め弧状凹部を形成する。
【考案を実施するための最良の形態】
【０００６】
　以下、本考案の実施例を図面に基づいて説明する。
　まず、図１、図２に示すように、本実施例は以下のものを有する。
　ベース１０は、内部にはＭＳ　Ｄｕｏカード２０のぐらつき防止溝及び位置決め欠き穴に対応し、ぐらつき防止凸部１１及び位置決めストッパー１２が形成され、ＭＳ　Ｄｕｏカード２０の接続部に対応し、複数の前部リードピン１３を有し、ｍｉｎｉＳＤカード３０の接続部に対応し、複数の後部リードピン１４を有し、又ｍｉｎｉＳＤカード３０の挿入深さに対応しセンサーピン１５とアースピンを有し、かつ周囲には装着するための係合部が形成される。
【０００７】
　カバー４０は、ベース１０の係合部１７に対応し係合孔４１を有し、カバーの表面に制止部４２を有し、制止部４２がｍｉｎｉＳＤカード３０の位置決め欠き穴３１に対応し、位置決め弧状凹部４３を形成する。
【０００８】
　図３に示すように、ＭＳ　Ｄｕｏカード２０挿入接続時、ＭＳ　Ｄｕｏカード２０の底面のぐらつき防止溝はベース１０のぐらつき防止凸部１１を避け、かつ位置決めストッパー１２はＭＳ　Ｄｕｏカード２０底面側辺の位置決め欠き穴に引っ掛かり、よってＭＳ　Ｄｕｏカード２０は固定される。またそのガイドピンとベース２０の前部リードピン１３が接続する関係となる。
【０００９】
　図４に示すように、ｍｉｎｉＳＤカード３０挿入接続時、ｍｉｎｉＳＤカード３０前端はベース１０のぐらつき防止凸部１１に当たり、かつカバー４０の制止部４２の位置決め弧状凹部４３は、ｍｉｎｉＳＤカード３０の位置決め欠き穴３１を抑えて固定され、そのガイドピンとベース２０の後部リードピン１４が接続する関係となる。同時にセンサーピン１５及びアースピン１６により、ｍｉｎｉＳＤカード３０の挿入状態をセンシング可能とする。
【００１０】
　つまり、本実施例のぐらつき防止凸部１１は、ＭＳ　Ｄｕｏカード２０のぐらつき防止効果意外にも、ｍｉｎｉＳＤカード３０の挿入深さを制限するストッパーともなり、かつＭＳ　Ｄｕｏカード２０及びｍｉｎｉＳＤカード３０はそれぞれ位置決めストッパー１２及び制止部４２により固定され、ガイドピンが前部、後部リードピン１３１４に対応して接続し、もって、ｍｉｎｉＳＤカード及びＭＳ　Ｄｕｏカードを共用できる効果を備えるのである。
【図面の簡単な説明】
【００１１】
【図１】本考案の一実施例による両用メモリーカードコネクターを示す構造分解立体図である。
【図２】本考案の一実施例による両用メモリーカードコネクターを示す構造俯瞰図である。
【図３】本考案の一実施例による両用メモリーカードコネクターにＭＳ　Ｄｕｏカードを接続した状態を示す図である。
【図４】本考案の一実施例による両用メモリーカードコネクターにｍｉｎｉＳＤカードを接続した状態を示す図である。
【符号の説明】
【００１２】
　１０　ベース、１１　ぐらつき防止凸部、１２　位置決めストッパー、１３　前部リードピン、１４　後部リードピン、１５　センサーピン、１６　アースピン、１７　係合部、２０　ＭＳ　Ｄｕｏカード、３０　ｍｉｎｉＳＤカード、３１　位置決め欠き穴、４１　係合孔、４２　制止部、４３　位置決め弧状凹部
【図１】
0003100393.tif 000003
【図２】
0003100393.tif 000004
【図３】
0003100393.tif 000005
【図４】
0003100393.tif 000006
(57)【要約】
［課題］
本考案は、ズボンと上衣、ワイシャツ、その他の下着等に『網状の通風網』を設け、外気が衣服内に自由自在に流入、排出で体を冷やし、涼しく快適にする。
［解決手段］
本考案は、ズボンと上衣の前後左右に『網状の通風網』を計数十個設けることで、冷気は暖気の方へ流れる性質があり、体熱で暖められた空気は『網状の通風網』から外気へ流れ出る。体熱より幾分涼しい外気が『網状の通風網』を通り抜けて衣服内に流入する。この温度差による自然循環作用で、体は、冷やされて涼しく快適にするのに役立つ。
【選択図】図１
0003100391.tif 000002
【実用新案登録請求の範囲】
【請求項１】
衣服の前後左右に数十個の『網状の通風網』を設け、衣服内に外気が自由自在に流入、排出を特徴とする衣服。
【考案の詳細な説明】
【考案の詳細な説明】
　［考案の属する技術分野］
【０００１】本考案は、一般的なズボン（スラックス）上衣は勿論のことワイシャツ、その他の下着に至るまで、前後左右に数十個の『網状の通風網』を設ける衣服に関するものである。
　［従来の技術］
【０００２】従来、夏期や高温多湿地方における暑さに対する防暑対策の衣服は、主として、薄い生地や生地の目の大きいもの、又、少し広目に、或いは、脇の下や首のまわり、肩の上あたり等に網目を施して防暑に対処している。
　［考案が解決しようする課題］
【０００３】防暑に対する課題は、出来るだけ一般的で、容易に製作改善が可能で経費が安くつき、しかも快適でなければならない。
　［課題を解決する手段］
【０００４】本考案は、主に夏の暑さを少しでも涼しく、快適に過ごすことを目的とする衣服であり、その目的を解決する手段として、例えば、作業服のズボンと上衣を例にして書いて見ると、ズボンの外側と内側の腿の縫い目に添って上部から裾の方へ『網状の通風網』を数個設ける。後ろは両臀部の中心線に添って裾の方へ数個、前の方は、ズボンの折り目に添って裾の方へ数個、上衣は、背中を中心に両側の肩甲骨の中心あたりから裾の方へ数個、両脇の下から裾の方へ数個、前は、両鎖骨の中心線から裾の方へ数個、両腕の内側と外側に各々数個、このようにズボンと上衣に上記の『網状の通風網』を設けることで外気の流入、排出循環佐用で涼しく、快適に室内外での仕事に従事することが出来る。
　［考案の実施の形態］
【０００５】本考案は、ズボンと上衣、ワイシャツ、その他の下着等に直径が約５センチから６センチの『網状の通風網』をズボン外側の縫い目に添って大体３個から５個づつ、内腿に添って縫い目より大体３個から５個づつ、後ろは、両臀部の中心に添って裾の方へ大体３個から５個づつ、前はズボンの折り目に添って大体３個から５個づつ、上衣は、背中を中心に両側の肩甲骨の中心あたりから裾の方へ大体１個から３個づつ、良脇の下から裾の方へ大体１個から３個づつ、前は、両鎖骨の中心線から裾の方へ体１個から３個づつ、両腕の内側と外側に大体１個から３個づつ『網状の通風網』を設ける。『網状の通風網』の直径の大きさ、数は、ズボンの大中小、長さ等によって決めればよい。又、通風網の形も丸形ばかりでなく、星形、花形と様々の形と色を使うことで見た目でも美しく、着ても涼しく快適な衣服となる。ワイシャツは勿論の事、その他のアンダーシャツ、パンツに至るまで『網状の通風網』を施す事で、より一層、涼しく快適な生活が送れる。
　［実施例］
【０００６】以下、点部図面に従って、実施例を説明すると、［図１］は、普通一般の作業ズボンの前図面で、［図２］は後ろの図である。［図５］は、ズボンの側面である。１はズボン本体、２はズボンの前後左右に設けた『網状の通風網』で、３はバンドつり、４はポケットである。この様にズボンの前後左右に『網状の通風網』を設けることで、外気が流入して来て、体を冷やして外に排出する冷房作用を作る。
【０００７】［図３］、［図４］は、上衣の前後の図である。１は上衣本体で、２は『網状の通風網』で、４はポケットである。このように、上衣の前後左右に『網状の通風網』を設けることで外気が流入して来て、体を冷やして外に排出する冷房作用を作る。
【０００８】本考案は、上述の如き構成からなるものであるから、すなわち、外気進入、排出は温度差による自然冷却作用を創る。冷気は暖気の方へ逃げる性質があり衣服内の空気は、体熱によって暖められて、外気より暖かく、暑くなっているが、暑くなった空気の逃げ場がなく、暖め続けられる。寒い冬場はいいが、暑い夏は、苦しいほど暑くなる。そんな時に、この暑くなっている空気を外に逃がし、外の涼しい空気を取り入れるのが、この『網状の通風網』の役目である。すなわち、上述の温度差による自然循環作用で体を冷やし、涼しくする。
　［考案の効果］
【０００９】上述の様に本考案は、ズボンと上衣、ワイシャツ、その他の下着等に『網状の通風網』を設ける方式で、その効果は、抜群とまでは言えないが、実験の結果、室外温度３２度の時、１度〜１．２度下がる。
冷房室内では２８度の室で、１．８度〜１．９度、涼しすぎるほどになった。この様に『網状の通風網』付き衣服は、外気の流入で衣服内の熱気の排出作用に効果があり、涼しく過ごせる。特に、冷房室内における事務作業等には最適で、涼しく、楽しく健康的で、冷房設定温度を下げて電気料を随分節約できる事は間違いなく、健康、省エネ、衣服である。
【図面の簡単な説明】
【００１０】
【図１】は、本考案のズボン本体の正面図である。
【図２】は、本考案のズボン本体の後面図である。
【図３】は、本考案の上衣本体の正面図である。
【図４】は、本考案の上衣本体の後面図である。
【図５】は、本考案のズボン本体の側面図である。
【符号の説明】
【００１１】１　ズボン、上衣の本体
２　網状の通風網
３　ズボンつり
４　ポケット
【図１】
0003100391.tif 000003
【図２】
0003100391.tif 000004
【図３】
0003100391.tif 000005
【図４】
0003100391.tif 000006
【図５】
0003100391.tif 000007
(57)【要約】
【課題】クロージャの合わせ目から心線を確実に防護して挟み込み事故を防止し、安全かつ迅速に接続作業を行うことができる心線挟み込み防止シートを取り付けたケーブルクロージャを提供する。
【解決手段】内部で心線を接続するクロージャ本体１と、該クロージャ本体１の内部を閉じる蓋体２から成り、該クロージャ本体１の合せ縁１ａの内側に隙間Ｇをあけて連結棒３を設けたケーブルクロージャにおいて、前記隙間Ｇに心線挟み込み防止シート３を差し込んで、接続した心線がクロージャ本体１と蓋体２との合せ目に挟み込まれるのを防止する
【選択図】　　　　図１
0003100305.tif 000002
【実用新案登録請求の範囲】
【請求項１】
　　内部で心線を接続するクロージャ本体と、該クロージャ本体の内部を閉じる蓋体から成り、該クロージャ本体の合せ縁の内側に隙間をあけて連結棒を設けたケーブルクロージャにおいて、前記隙間に差し込んで、接続した心線がクロージャ本体と蓋体との合せ目に挟み込まれるのを防止することを特徴とするケーブルクロージャにおける心線挟み込み防止シート。
【請求項２】
　一側縁を一方の隙間に、他側縁を他方の隙間に、それぞれ差し込むことを特徴とする請求項１に記載のケーブルクロージャにおける心線挟み込み防止シート。
【考案の詳細な説明】
【技術分野】
【０００１】
　本考案は、ケーブルクロージャにおける心線挟み込み防止シートに関するものである。
【背景技術】
【０００２】
　一般のケーブルクロージャは、図４に示すように、主としてクロージャ本体１と蓋体２から構成されていて、クロージャ本体１内での心線の接続等の作業が完了すると、蓋体２を取り付けて閉じるようになっている。
【０００３】
　ところが、作業が完了したものの、心線がクロージャ本体１からはみ出したままで蓋体２を閉じると、それらの合わせ目に心線を挟み込む恐れがあり、その結果、断線事故等を引き起こす等の問題点があった。
【考案の開示】
【考案が解決しようとする課題】
【０００４】
　本考案が解決しようとする課題は、クロージャの合わせ目から心線を確実に防護して挟み込み事故を防止し、安全かつ迅速に接続作業を行うことができるケーブルクロージャにおける心線挟み込み防止シートを提供することにある。
【課題を解決するための手段】
【０００５】
　本考案は、内部で心線を接続するクロージャ本体と、該クロージャ本体の内部を閉じる蓋体から成り、該クロージャ本体の合せ縁の内側に隙間をあけて連結棒を設けたケーブルクロージャにおいて、前記隙間に差し込んで、接続した心線がクロージャ本体と蓋体との合せ目に挟み込まれるのを防止することを特徴とする。また、一側縁を一方の隙間に、他側縁を他方の隙間に、それぞれ差し込むことを特徴とする。
【考案の効果】
【０００６】
　本考案のケーブルクロージャにおける心線挟み込み防止シートは、クロージャの合わせ目から心線を確実に防護して挟み込み事故を防止し、安全かつ迅速に接続作業を完了することができるという利点がある。
【考案を実施するための最良の形態】
【０００７】
　図１は、本考案の一実施例を示す図であって、クロージャ本体１の合せ縁１ａの内側に、所定の隙間Ｇをあけて、連結棒１ｂが設けられている。該連結棒１ｂの両端部は、内装金具１ｃに取り付けられている。
【０００８】
　３は心線挟み込み防止シートであって、結線作業が完了したら、その一側縁を一方の隙間Ｇに差し込むと共に、図２に示すように、その他側縁を他方に隙間Ｇに差し込んで、心線がはみ出さないようにした状態で蓋体２を被せる。
【０００９】
　図３は、別の実施例を示すもので、結線作業が完了したら、心線挟み込み防止シート３の一側縁を、クロージャ本体１の一方の隙間Ｇに差し込むと共に、クロージャ本体１の底部を這わせて、他方の隙間Ｇから延出せしめることにより、心線がはみ出さないようにする。
【図面の簡単な説明】
【００１０】
【図１】本考案の一実施例を示すクロージャ本体の斜視図（Ａ）、その横断面図（Ｂ）である。
【図２】図１に続く心線挟み込み防止シートのセット状態の斜視図（Ａ）、その横断面図（Ｂ）である。
【図３】本考案の別の実施例を示す横断面図である。
【図４】従来のクロージャ本体の斜視図（Ａ）、その横断面図（Ｂ）である。
【符号の説明】
【００１１】
　１　　クロージャ本体
　１ａ　合せ縁
　１ｂ　連結棒
　１ｃ　内装金具
　２　　蓋体
　３　　心線挟み込み防止シート
　Ｇ　　隙間
【図１】
0003100305.tif 000003
【図２】
0003100305.tif 000004
【図３】
0003100305.tif 000005
【図４】
0003100305.tif 000006
【手続補正書】
【提出日】平成15年10月2日(2003.10.2)
【手続補正１】
【補正対象書類名】実用新案登録請求の範囲
【補正対象項目名】全文
【補正方法】変更
【補正の内容】
【実用新案登録請求の範囲】
【請求項１】
内部で心線を接続するクロージャ本体と、該クロージャ本体の内部を閉じる蓋体から成り、該クロージャ本体の合せ縁の内側に隙間をあけて連結棒を設けたケーブルクロージャにおいて、前記隙間に差し込んで、接続した心線がクロージャ本体と蓋体との合せ目に挟み込まれるのを防止することを特徴とする心線挟み込み防止シートを取り付けたケーブルクロージャ。
【請求項２】
一側縁を一方の隙間に、他側縁を他方の隙間に、それぞれ差し込むことを特徴とする請求項１に記載の心線挟み込み防止シートを取り付けたケーブルクロージャ。
【手続補正３】
【補正対象書類名】明細書
【補正対象項目名】０００１
【補正方法】変更
【補正の内容】
【０００１】
　本考案は、心線挟み込み防止シートを取り付けたケーブルクロージャに関するものである。
【手続補正４】
【補正対象書類名】明細書
【補正対象項目名】０００４
【補正方法】変更
【補正の内容】
【０００４】
　本考案が解決しようとする課題は、クロージャの合わせ目から心線を確実に防護して挟み込み事故を防止し、安全かつ迅速に接続作業を行うことができる心線挟み込み防止シートを取り付けたケーブルクロージャを提供することにある。
【手続補正５】
【補正対象書類名】明細書
【補正対象項目名】０００５
【補正方法】変更
【補正の内容】
【０００５】
　本考案は、内部で心線を接続するクロージャ本体と、該クロージャ本体の内部を閉じる蓋体から成り、該クロージャ本体の合せ縁の内側に隙間をあけて連結棒を設けたケーブルクロージャにおいて、前記隙間に差し込んで、接続した心線がクロージャ本体と蓋体との合せ目に挟み込まれるのを防止することを特徴とする心線挟み込み防止シートを取り付けたケーブルクロージャである。また、一側縁を一方の隙間に、他側縁を他方の隙間に、それぞれ差し込むことを特徴とする心線挟み込み防止シートを取り付けたケーブルクロージャである。
【手続補正６】
【補正対象書類名】明細書
【補正対象項目名】０００６
【補正方法】変更
【補正の内容】
【０００６】
　本考案の心線挟み込み防止シートを取り付けたケーブルクロージャは、クロージャの合わせ目から心線を確実に防護して挟み込み事故を防止し、安全かつ迅速に接続作業を完了することができるという利点がある。
(57)【要約】　　　（修正有）【課題】挿し木できる植物は強い生命力を持ち、切り口を水に浸すだけで発根してきます。その事を知っている人は、家庭でコップなどに水を張って、切り口を水につけるという方法で増やしています。しかし、挿し木が少量だと茎がねじれたり、折れ曲がったりし、腐ってきます。水の量が多くても腐ってきますし、水を少なくしていると、あっという間に吸い取って水が無くなり、しおれてしまいます。軸が短く葉を落とせない植物もあり、水につける軸部分が１〜２ミリ程度しかない時、葉まで水に浸かってコップなどの代用容器ではほとんど無理でした。【解決手段】深さが約１ｃｍ違う同型の容器２個を重ね、浅い方の容器を深い方の容器にのせます。その間には水を入れます。浅い方の容器には小さいもので直径２ｍｍ、大きいもので直径６ｍｍまでの穴を開けてあるので、用意した挿し木の軸が入る穴１つに１本の挿し木を差し込みます。あとは、一日１回程度水を替えるだけです。穴の部分で軸が固定されているので軸部分がねじれるとか、折れ曲がる、水に浸かっていないなどという事が起こりません。【選択図】図１
0003100379.tif 000002
【実用新案登録請求の範囲】
【請求項１】
約１ｃｍ深さの違う同型の器を深い方を下にし、浅い方を上に載せる。その間には水を入れる。浅い方の器にはサイズ違いの穴（２ｍｍ〜６ｍｍ）を数個あけ、この穴１つに１本の挿し木を差し込む。器のサイズは特定しませんが家庭で使いやすい弁当箱程度の大きさが適当。器の材質も特定しませんが軽く、環境に良く、コストパフォーマンスの高いものが適当。
（従来の挿し木の説明）
ハーブなど挿し木で増やすことのできる植物は強い生命力を持っているので、切り口を水に浸すだけで発根してきます。家庭ではコップなどに水を張って、切り口を水につけるという方法で増やしています。
　しかし、これは非常に不便でした。切り口のところだけ水に浸さないといけないのですが、挿し木が少量だと茎がねじれたり、折れ曲がったりし、一日に何度もチェックしないと腐ってきます。水の量が多くても腐ってきますし、水を少なくしていると、あっという間に吸い取って水が無くなり、しおれてしまう植物もあります。また、葉を落とせない植物もあり、水につける軸部分が１〜２ミリ程度しかないとき、どうしても葉まで水に浸かってしまいコップなどの代用容器ではほとんど無理でした。それで挿し木は、大変難しいと考えられがちでした。
　また、挿し木しようとする植物が何種類かになる時は、それぞれに合いそうな器を充分吟味して探す必要もあり、そうすると、発根までの間いくつもの容器の水を慎重に調節しながら替えなければなりませんでした。
　これらを一挙に解決できる容器です。
【考案の詳細な説明】
【技術分野】
【０００１】本考案は挿し木作りを手軽に成功させるための容器に関する。
【背景技術】
【０００２】業者用のものはいくつかありますが、どれも非常に専門的であり、大型で、家庭で手軽に使用できるものはこれまでありませんでした。
【考案の開示】
【考案が解決しようとする課題】
【０００３】ハーブなど挿し木で増やすことのできる植物は強い生命力を持っているので、切り口を水に浸すだけで発根してきます。家庭ではコップなどに水を張って、切り口を水につけるという方法で増やしています。
　しかし、これは非常に不便でした。切り口のところだけ水に浸さないといけないのですが、挿し木が少量だと茎がねじれたり、折れ曲がったりし、一日に何度もチェックしないと腐ってきます。水の量が多くても腐ってきますし、水を少なくしていると、あっという間に吸い取って水が無くなり、しおれてしまう植物もあります。また、葉を落とせない植物もあり、水につける軸部分が１〜２ミリ程度しかないとき、どうしても葉まで水に浸かってしまいコップなどの代用容器ではほとんど無理でした。
　また、挿し木しようとする植物が何種類かになる時は、それぞれに合いそうな器を充分吟味して探す必要もあり、そうすると、発根までの間いくつもの容器の水量を慎重に調節しながら替えなければなりませんでした。
　それで挿し木を手軽に成功させる容器を考案しました。これらを一挙に解決できる容器です。
【課題を解決するための手段】
【０００４】深さが約１ｃｍ違う同型の容器２個を重ねて使う。浅い方の容器を深い方の容器にのせる。その間には水を入れる。浅い方の容器には小さいもので直径２ｍｍ、大きいもので直径６ｍｍまでの穴を開けてあるので、挿し木の軸が入る穴１つに１本の挿し木を差し込んで使う。
　軸の太さや長さが違っても一つの容器で、色々な植物の挿し木が心配なく出来る。水替えも非常に楽。
【考案の効果】
【０００５】実験の結果、発根率１００％。
第３者にも使用を依頼。初心者でも失敗無く挿し木に成功し、手軽なので好評を得る。
【考案を実施するための最良の形態】
【０００６】容器は大きすぎず、小さすぎず、手軽な弁当箱サイズとし、その材質は、軽く、低価格で環境にも問題にならないものが適当。
【実施例】
【・・・・】
【・・・・】
【図面の簡単な説明】
【０００７】
0003100379.tif 000003
0003100379.tif 000004
【図１】
0003100379.tif 000005
【図２】
0003100379.tif 000006
(57)【要約】　　　（修正有）【課題】ラバーと釘を使用しての猫よけシートは手作業により製作するので量産には不向きである。【解決手段】金型で造った突起のあるプラスチックに両面テープを貼ったことにより量産が可能である。【選択図】図３
0003100380.tif 000002
【実用新案登録請求の範囲】
【請求項１】
突起のあるプラスチックに両面テープを貼った猫よけのシート
【考案の詳細な説明】
【考案の詳細な説明】
【考案が解決しようとする課題】
【０００１】　出願番号２００３−３８６１の猫よけシートは製作に手間がかかり量産が困難であった。
【課題を解決するための手段】
【０００２】　上記目的を達成するために，金型からプラスチックで製作し、底に接着テープを貼りブロック塀に固定する。
【考案の効果】
【０００３】　本考案は金型から造ることにより，大量に安価に同じ物を造ることができる。
【図面の簡単な説明】
【図１】突起と底面の平面図である。
【図２】突起と底面と両面テープの側面図である。
【図３】突起と底面と両面テープの断面図である。
【符号の説明】
　　　１　突起
　　　２　底面
　　　３　両面テープ
【図１】
0003100380.tif 000003
【図２】
0003100380.tif 000004
【図３】
0003100380.tif 000005
【手続補正書】
【提出日】平成15年9月30日(2003.9.30)
【手続補正１】
【補正対象書類名】実用新案登録請求の範囲
【補正対象項目名】全文
【補正方法】変更
【補正の内容】
【実用新案登録請求の範囲】
【請求項１】
突起のあるプラスチックの底面に両面テープを貼った猫よけのシート。
(57)【要約】　　　（修正有）【課題】従来の氷菓子は、とけると液化して形がくずれてしまうが、これを防ぐ方法を提供する。【解決手段】氷菓の製造過程で、原料の一部にゲル化剤として、コンニャクマンナンを加えることにより、氷菓の形状を維持できる。【選択図】図１
0003100374.tif 000002
【実用新案登録請求の範囲】
【請求項１】
氷菓の製造過程で原料の一部に食品添加物のゲル化剤（増粘多唐類、主成分としてコンニャクマンナン）を加える。
【考案の詳細な説明】
【０００１】
【考案の解決しようとする課題】
従来の氷菓は、とけると液化してその形が維持できない。
【０００２】
【課題を解決するための手段】
氷菓の製造過程で原料の一部に食品添加物のゲル化剤を加える事により氷菓の形状を維持させる。ゲル化剤（増粘多唐類、主成分としてコンニャクマンナン）。
【０００３】
【考案の効果】
他の食材と並べた時に、とけ出して他のものと混ざることなく味と形状を維持できる。
幼児などでも食べ易く、アイスが溶け出して衣服などを汚さない。
【図面の簡単な説明】
【図１】本案の氷菓形状例の斜視図
【図２】本案の氷菓を容器に入れた図
【図３】本案の氷菓を拡大した図
【図１】
0003100374.tif 000003
【図２】
0003100374.tif 000004
【図３】
0003100374.tif 000005
【手続補正書】
【提出日】平成15年2月25日(2003.2.25)
【手続補正１】
【補正対象書類名】明細書
【補正対象項目名】実用新案登録請求の範囲
【補正方法】変更
【補正の内容】
【実用新案登録請求の範囲】
【請求項１】
氷菓を構成する原料とゲル化剤（増粘多唐類）を組み合わせて氷菓の形を形成させる。
【手続補正書】
【提出日】平成15年6月12日(2003.6.12)
【手続補正１】
【補正対象書類名】明細書
【補正対象項目名】実用新案登録請求の範囲
【補正方法】変更
【補正の内容】
【実用新案登録請求の範囲】
【請求項１】
氷菓を構成する原料とゲル化剤（増粘多糖類）を組み合わせて棒状またはブロック状に氷菓の形を形成させる。
【手続補正書】
【提出日】平成15年9月24日(2003.9.24)
【手続補正１】
【補正対象書類名】明細書
【補正対象項目名】実用新案登録請求の範囲
【補正方法】変更
【補正の内容】
【実用新案登録請求の範囲】
【請求項１】
氷菓を構成する原料とゲル化剤（増粘多糖類）を組み合わせて氷菓の形を棒状またはブロック状に形成した氷菓。